(57)【要約】  近位端及び遠位端を有するハンドルと、ハンドルの近位端に搭載されたかみそりカートリッジと、を含む湿式剃毛かみそり。カートリッジは、１）前壁と、後壁と、前壁及び後壁をつなぐ対向する側壁と、を有するハウジングと、２）平行な配列で設けられて前記側壁の間を延びる複数のカミソリ刃であって、各刃がとがった刃先を有する、複数のかみそり刃と、３）複数の幾何学的三次元ミクロ構造を含む表皮剥離材であって、前記前壁に隣接しかつ前記刃の前方に設けられた表皮剥離材と、を備える。
2011520559.tif 000002
【特許請求の範囲】
【請求項１】
ａ．近位端及び遠位端を有するハンドルと、
ｂ．前記ハンドルの近位端に搭載されたかみそりカートリッジと、を含む湿式剃毛かみそりであって、
前記カートリッジは、
１）前壁と、後壁と、前記前壁及び前記後壁をつなぐ対向する側壁と、を有するハウジングと、
２）平行な配列で設けられて前記側壁の間を延びる複数のかみそり刃であって、各刃がとがった刃先を有する、複数のかみそり刃と、
３）複数の幾何学的三次元ミクロ構造を含む表皮剥離材であって、前記前壁に隣接しかつ前記刃の前方に設けられた表皮剥離材と、を備える、湿式剃毛かみそり。
【請求項２】
前記表皮剥離材がベース基部及び被覆を備える、請求項１に記載の湿式剃毛かみそり。
【請求項３】
前記ベース基部が、ポリウレタン、アルミニウム、ポリプロピレン、ステンレススチール、ガラス、バイオポリマー、アクリル、ポリイミド、ポリエーテルエーテルケトン、及びこれらの組み合わせから成る群から選択される、請求項２に記載の湿式剃毛かみそり。
【請求項４】
前記被覆が、アルミニウム、ニッケル、クロム、水性又はその他の溶剤系インク又は塗料、及びこれらの組み合わせから成る群から選択される、請求項２に記載の湿式剃毛かみそり。
【請求項５】
前記ミクロ構造が、ピラミッド、四面体、五面体、六面体、七面体、八面体、及びこれらの組み合わせから成る群から選択される多面体を含む、請求項１に記載の湿式剃毛かみそり。
【請求項６】
前記表皮剥離材が開口を備える、請求項１に記載の湿式剃毛かみそり。
【請求項７】
コンディショニング剤が、前記開口を経由して前記表皮剥離材を通して送られる、請求項６に記載の湿式剃毛かみそり。
【請求項８】
前記コンディショニング剤が、シェービングジェル、芳香剤、精油、ビタミン、及びこれらの組み合わせから成る群から選択される、請求項７に記載の湿式剃毛かみそり。
【請求項９】
前記ミクロ構造の底部表面の平均の長さが約５００μｍ未満である、請求項１に記載の湿式剃毛かみそり。
【請求項１０】
前記ミクロ構造の平均の高さが約５００μｍ未満である、請求項１に記載の湿式剃毛かみそり。
【請求項１１】
前記ミクロ構造が横列及び／又は縦列に配列される、請求項１に記載の湿式剃毛かみそり。
【請求項１２】
前記表皮剥離材が接着により前記カートリッジに固定される、請求項１に記載の湿式剃毛かみそり。
【請求項１３】
前記表皮剥離材が前記かみそりカートリッジと一体化して形成される、請求項１に記載の湿式剃毛かみそり。
【請求項１４】
前記表皮剥離材が、接着、射出成形、超音波ボンディング、インサート成形、オーバー成形、及びこれらの組み合わせから成る群から選択される付着機構により前記カートリッジに接合される、請求項１に記載の湿式剃毛かみそり。
【発明の詳細な説明】
【技術分野】
【０００１】
本発明は、複数の幾何学的三次元ミクロ構造を含む表皮剥離材であって、前記前壁に隣接しかつ前記刃の前方に設けられた表皮剥離材を含む、湿式剃毛かみそりに関する。
【背景技術】
【０００２】
通常の剃毛行為において、皮膚の外層の小部分は毛髪が切断されると共に取り除かれ、その結果、より滑らかでつややかな皮膚が外観がもたらされる。当該技術分野において、米国特許公報第２００７／０２２７００６  Ａ１号及び同第２００４／０１８１９４３  Ａ１号、並びにより以前では米国特許第３９３９５６０号の発行に詳述の通り、剃毛前又は剃毛中、砂、挽いた貝殻、種、穀粒、ビード、高分子粒子などの微粒子を含む表皮剥離材で皮膚を剥離することは既知である。別のアプローチでは、剃毛者には、通常のかみそり刃を含まない剃毛用具が紹介されている。例えば、２００６年３月７日にＧｕｉｍｏｎｔに対して発行された米国特許第７，００７，３９３  Ｂ２号には、基板に取り付けられかつ基板から外側に延びる複数の保護要素と組み合わせて、刃先を基板の表面から離して画定する、マイクロ複製された剃毛要素が開示されている。同様に、２００６年２月１６日にＮｉｃｏｌｏｓｉらの名称で出願され公開された米国特許公報第２００６／００３０６０  Ａ１号に、基板の外側に突き出た複数の連続的起立部分を有する基板を含む、毛髪を剥離するように取り除くマイクロプリズム式剃毛要素が開示されている。この剃毛要素が剃毛作業中に使用されると、表皮剥離面を画定する連続的起立部分が、使用者の皮膚から突き出た毛髪と係合し、毛髪の一部をすりへらし、触った感じがなめらかで緊密な剃毛感を与える擦り減った毛端を残す。別の参照文献、米国特許公報第２００５／０２３５４９５  Ａ１号は、剥離部材と剥離部材に反復動作をもたらす駆動機構とを更に含むハウジングに搭載された刃を含む湿式剃毛システムに関する。また、米国特許公報第２００２／０１７７８５８  Ａ１号は、皮膚の表面から皮膚細胞をこすり取るために基板に付けられた複数の微量元素を有する基板を伴う装置及びその装置の使用方法に関する。しかしながら、これらの参照文献のいずれにも、複数のかみそり刃とここに出願者が記載するタイプの表皮剥離材とを組み合わせる効果を統合型湿式剃毛かみそりに十分利用するものはない。
【先行技術文献】
【特許文献】
【０００３】
【特許文献１】米国特許公報第２００７／０２２７００６  Ａ１号
【特許文献２】米国特許公報第２００４／０１８１９４３  Ａ１号
【特許文献３】米国特許第３９３９５６０号
【特許文献４】米国特許第７，００７，３９３  Ｂ２号
【特許文献５】米国特許公報第２００６／００３０６０  Ａ１号
【特許文献６】米国特許公報第２００５／０２３５４９５  Ａ１号
【特許文献７】米国特許公報第２００２／０１７７８５８  Ａ１号
【発明の概要】
【発明が解決しようとする課題】
【０００４】
したがって、出願者は、「緊密」な剃毛感だけでなく、かみそり刃なしに、又はここに記載したする表皮剥離材を組み込むことなしに達成するよりも実際に緊密な剃毛をもたらす湿式剃毛かみそりを提供することを求める。
【課題を解決するための手段】
【０００５】
本発明は、
ａ．近位端及び遠位端を有するハンドルと、
ｂ．前記ハンドルの近位端に搭載されたかみそりカートリッジと、を含む湿式剃毛かみそりであって、
前記カートリッジは、
１）前壁と、後壁と、前壁及び後壁をつなぐ対向する側壁と、を有するハウジングと、
２）平行な配列で設けられて前記側壁の間を延びる複数のかみそり刃であって、各刃がとがった刃先を有する、複数のかみそり刃と、
３）複数の幾何学的三次元ミクロ構造を含む表皮剥離材であって、前記前壁に隣接しかつ前記刃の前方に設けられた表皮剥離材と、を備える、湿式剃毛かみそりに関する。
【０００６】
また、本発明は
ａ．近位端及び遠位端を有するハンドルと、
ｂ．前記ハンドルの近位端に搭載されたかみそりカートリッジと、を含む湿式剃毛かみそりであって、
前記カートリッジは、
１）前壁と、後壁と、前壁及び後壁をつなぐ対向する側壁と、を有するハウジングと、
２）平行な配列で設けられて前記側壁の間を延びる複数のかみそり刃であって、各刃がとがった刃先を有する、複数のかみそり刃と、
３）複数の幾何学的三次元ミクロ構造を含む表皮剥離材であって、側壁に隣接しかつ前記刃に沿って設けられた表皮剥離材と、を備える、湿式剃毛かみそりに関する。
【０００７】
更に、本発明は
ａ．近位端及び遠位端を有するハンドルと、
ｂ．前記ハンドルの近位端に搭載されたかみそりカートリッジと、を含む湿式剃毛かみそりであって、
前記カートリッジは、
１）前壁と、後壁と、前壁及び後壁をつなぐ対向する側壁と、を有するハウジングと、
２）平行な配列で設けられて前記側壁の間を延びる複数のかみそり刃であって、各刃がとがった刃先を有する、複数のかみそり刃と、
３）複数の幾何学的三次元ミクロ構造を含む表皮剥離材であって、前記後壁に隣接しかつ前記刃の後方に設けられた表皮剥離材と、を備える、湿式剃毛かみそりに関する。
【図面の簡単な説明】
【０００８】
【図１】本発明のかみそりの正面図。
【図２】上記かみそりのカートリッジの拡大正面図。
【図３】上記かみそりに組み込まれた表皮剥離材の上面顕微鏡写真。
【図４】本発明のかみそり内の別のカートリッジの拡大正面図。
【図５】本発明のかみそり内の更に別のカートリッジの拡大正面図。
【発明を実施するための形態】
【０００９】
本発明は、剃毛する前に特に好適な表皮剥離材で皮膚及び／又は毛髪をすりへらすことにより、毛髪で覆われた皮膚に対して、改善されたより緊密な剃毛をもたらすことのできるかみそりを目的とする。図１及び図２を参照すると、湿式剃毛かみそり５は、近位端１１及び遠位端１２を有するハンドルを含む。かみそりカートリッジ１５は、近位端１１に搭載され、更に前壁１６と、後壁１７と、前壁１６及び後壁１７を互いにつなぐ対向する側壁１８と、を有するハウジングを備える。複数のかみそり刃１９は、平行な配列で設けられて側壁１８の間を延びる。各かみそり刃１９は、刃の前方対向表面にとがった刃先２０を有している。刃先は、これから剃る皮膚上の毛髪を係合かつ切断するのに役立つ。かみそりカートリッジ１５は、複数の幾何学的三次元ミクロ構造３０を含む表皮剥離材２５を更に含む。この表皮剥離材２５は、前壁１６に隣接しかつ複数のかみそり刃１９の前方に設けられる。実施形態によっては、表皮剥離材２５は、ベース基部２６及び被覆２７を備える場合がある。ベース基部２６は、三次元ミクロ構造３０に形成材料を提供する働きをする。また、ベース基部は、被覆に加え第１の光反射源としても作用することができる。ベース基部は、ポリウレタン、アルミニウム、ポリプロピレン、ステンレススチール、ガラス、アクリル、ポリイミド、ポリエーテルエーテルケトン、バイオポリマー、及びこれらの組み合わせから成る群から選択される材料を含むことができる。実施形態によっては、ベース基部はミクロ構造がゆっくりとすり減るか若しくはある程度溶解して、組み込まれたカートリッジの寿命がつきたことを知らせることのできる材料を含むことができる。また、ベース基部は、剃毛する皮膚にさまざまな効果をもたらすのに役立つ活性物質を浸透させてもよい。例えば、ベース基部は、抗菌剤、皮膚コンディショニング剤、抗炎症剤、及びこれらの組み合わせから成る群から選択される活性物質を浸透させることができる。これらの剤は、使用中に皮膚に付着させる際、ベース基部から浸出させてもよい。
【００１０】
被覆２７は、剃毛中かみそりが水に晒される際に、底層から漏れたモノマーが皮膚に触れるのを防ぐバリアとして作用することができる。また被覆２７は、ベース基部と同様に、かみそり５のかみそりカートリッジ１５の美的外観を高める光反射板として作用することができる。被覆２７は、アルミニウム、ニッケル、クロム、水性又はその他の溶剤系インク又は塗料、及びこれらの組み合わせから成る群から選択される材料を含むことができる。また、ベース基部と同様に、被覆は、剃毛する皮膚及び／又は毛髪に効果をもたらすよう上述の剤を浸透させてもよい。表皮剥離材２５は、接着、射出成形、超音波ボンディング、インサート成形、オーバー成形、及びこれらの組み合わせが挙げられるがこれらに限定されない、多数の従来既知の付着機構を用いてハウジングに接合することができる。本実施形態では、表皮剥離材２５は、保護棒２８に実質的に囲まれている。ここで、「実質的に囲まれている」とは、保護棒がカートリッジ上で表皮剥離材の少なくとも２つの側部に接することを意味する。実施形態によっては、保護棒は、表皮剥離材の３つ又は４つの側部、例えば周囲全てに接してもよい。保護棒は、エラストマー材、硬質材料、又はこれらの組み合わせから形成することができる。刃縁部に対する保護棒の配向は、同一平面状又はある角度でまっすぐ若しくは屈曲してもよい。また、保護棒は、表皮剥離材に加え、剃毛前に皮膚細胞及び毛髪のアップリフトを高くするエラストマーフィンを含んでもよい。
【００１１】
ミクロ構造は、表皮剥離材に三次元の構造をもたらし、それによって皮膚を剥離したりこれから剃る毛髪を持ち上げたりする働きをする。表皮剥離材を成す三次元形状は、多面体、半球、錐体、立方体、円筒、及びこれらの組み合わせを含むことができる。特に、多面体は、ピラミッド、四面体、五面体、六面体、七面体、八面体、及びこれらの組み合わせから成る群から選択することができる。これらの三次元形状は、長さ及び高さを変えることができる。実施形態によっては、ミクロ構造の底部表面の平均の長さ（Ｌａｖｇ）は、約５００μｍ未満、約４００μｍ未満、約３００μｍ未満、約２５０μｍ未満、約２００μｍ未満、約１００μｍ未満、又は更に約５０μｍ未満でもよい。１つの実施形態では、底部表面の平均の長さは約１８０μｍである。図３は、底部表面の平均の長さを決めるのに用いる底部表面の長さとして役立つ長さの少なくとも１つを示す。また、図３に、ミクロ構造の平均の高さを示す。高さは、ミクロ構造のうちの１つの底部表面の長さから頂面までに及び、平均の高さは（「Ｈａｖｇ」）で計算される。平均の高さは、約５００μｍ未満、約４００μｍ未満、約３００μｍ未満、約２５０μｍ未満、約２００μｍ未満、約１００μｍ未満、又は更に約５０μｍ未満である。ミクロ構造は図２で横列に配列して示されているが、縦列に又はふぞろいなパターンで配置されてもよい。本発明では、各ミクロ構造は、皮膚又は毛髪に接する頂点又は尖鋒を有して、ミクロ構造の他の表面より先にアップリフトさせやすい。多くの例では、ミクロ構造の頂面又は頂点は、表皮剥離材全体にわたって表皮剥離材の底部表面からの高さが均一になっているため、見た目では平面に見えることが予想される。
【００１２】
実施形態によっては、表皮剥離材はまた、別の方法としてかみそりカートリッジの表面の別の部分に、又は刃の前方の場所に加え、例えば刃の後方若しくは刃の側部に沿って、すべてかみそりカートリッジの頂面に置くことができる。
【００１３】
ミクロ構造は、機械加工技術に従事する者に既知の方法を使って表皮剥離材に形成することができる。例えば、ミクロ構造は、エンボス加工、ベース基部の電気化学的機械加工、研削、インサート成形などの方法で形成することができる。ミクロ構造の形成に適した１つの方法は、２００１年３月１３日にＴｈｉｅｌｍａｎに発行された米国特許６２００３９９号に開示されている。ミクロ構造は、かみそりカートリッジ上に一体化して形成された表皮剥離材上に形成することもできる。例えば、ミクロ構造は、エンボス加工、レーザアブレーションなどかみそりカートリッジの表面処理の結果として、表皮剥離材の配置箇所の周辺に形成することができる。
【００１４】
図２に、表皮剥離材内の開口部３５を示す。この開口部３５は、表皮剥離材を通じて１つ以上のコンディショニング剤を出すのに役立つ。コンディショニング剤としては、これらに限定されないが、シェービングジェル、シェービングクリーム、ローション、防腐液、芳香剤、精油、ビタミン、及びこれらの組み合わせを挙げることができる。
【００１５】
図４を参照すると、図１のかみそりのハンドルに搭載するのに好適なカートリッジ４１５が示されている。カートリッジは、前壁４１６と、後壁４１７と、前壁４１６及び後壁４１７を互いにつなぐ対向する側壁４１８と、を有するハウジングを備える。複数のかみそり刃４１９は、平行な配列で設けられて側壁４１８の間を延びる。各かみそり刃４１９は、刃の前方対向表面にとがった刃先４２０を有する。かみそりカートリッジ４１５は、複数の幾何学的三次元ミクロ構造４３０を含む表皮剥離材４２５を更に含む。本実施形態において、表皮剥離材４２５は、（キャップ付近若しくはキャップにある）後壁４１７に隣接しかつ複数のかみそり刃４１９の後方に設けられる。
【００１６】
図５に、図４のカートリッジ４１５を更に修正した、カートリッジ５１５を示す。このカートリッジ５１５も、前壁５１６と、後壁５１７と、前壁５１６及び後壁５１７を互いにつなぐ対向側壁５１８と、を有するハウジングを備える。複数のかみそり刃５１９は、平行な配列で設けられて側壁５１８の間を延びる。各かみそり刃５１９は、刃の前方対向表面にとがった刃先５２０を有する。かみそりカートリッジ５１５は、複数の幾何学的三次元ミクロ構造５３０を含む表皮剥離材５２５を含む。ここで、表皮剥離材５２５は、（キャップ付近若しくはキャップにある）後壁５１７に隣接しかつ複数のカミソリ刃５１９の後方及び側壁５１８に沿って設けられる。更に別の実施形態では、表皮剥離材は、より小さなセクションに配分され、例えば４〜６個の表皮剥離材片がそれらの間に間隔をあけてかみそりカートリッジの幅全体に広がってもよい。
【００１７】
別の実施形態では、１つ以上のそのようなコンディショニング剤を、使用前又は使用中にミクロ構造の割れ目に付着させる。例えば、かかるコンディショニング剤を浸透させ乾燥させた後、かみそりを消費者に販売し、消費者は、使用中にかみそりを再水和してコンディショニング剤を放出させることができる。あるいは、剃毛中にかみそりカートリッジをコンディショニング剤に浸すことにより、コンディショニング剤をミクロ構造の割れ目に付けてもよい。
【００１８】
理論によって制限されないが、出願者は、本発明が、剃毛体験中及び剃毛体験後に使用者の快適感を改善するようであることを発見した。表皮剥離材のミクロ構造は剃毛前及び剃毛中に、死んだ皮膚細胞だけでなく毛髪も効果的にアップリフトするが、表皮剥離材にさまざまな配列で配置されるミクロ構造の大きさが非常に小さいため、使用者は毛髪切断前に生じている崩壊に気づかない。使用者が手で触れると、ミクロ構造により、全体的ななめらか感が伝わるが、切断の準備において、死んだ皮膚細胞及び皮膚の表面からの剃毛が必要な毛髪が効果的に持ち上がる。更に、出願者は、表皮剥離材のミクロ構造化した表面が、剃毛体験の総合的効率を改良すると同時に剃毛後の不快感を低減すると信じている。そのような効果は、皮膚上での引きずりが強められ、それによってシェービングストロークがよりゆっくりと生じるために起こる結果であり得る。本発明のかみそりは、使用者がこれから剃る顎など皮膚の下部から頬など皮膚の上部にかけてかみそりを引き上げる上向きの剃毛動作中、特に効果的であることが観察された。
【００１９】
実施形態によっては、表皮剥離材のミクロ構造は、実際には複数回の使用で切れ味が悪くなる場合がある。理論によって制限されないが、皮膚及び／又は毛髪の破片がミクロ構造間の割れ目に蓄積し、表皮剥離材の反射率及び磨耗性が悪くなることが考えられる。このような悪化は、皮膚及び皮膚上の毛髪のアップリフトの減少並びに／又は表皮剥離材が最初の若しくは前回の使用と同じほどには反射しない場合があるという表皮剥離材の実際の美的変化から明らかになり得る。即ち、反射率に関する悪化効果及び／又は磨耗の低下は、かみそりカートリッジを取り替える指標として働くことができる。
【００２０】
また、連続使用により剃毛中にみられる圧力でミクロ構造が崩壊してしまうというように、ミクロ構造が、時間の経過とともに崩壊性であってもよいことも想像される。この崩壊は、最良の剃毛性能を得るために、かみそりカートリッジを、完全に立ち上がったミクロ構造をもつ新しいものと交換する徴候として働く。１つの実施形態では、表皮剥離材のミクロ構造は、少なくとも約１回の剃毛体験、又は少なくとも２回の剃毛体験、又は少なくとも３回の剃毛体験、又は更に約３回を超える剃毛体験の後に崩壊性（又は変形可能）であってよい。
【００２１】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００２２】
相互参照される又は関連するあらゆる特許又は出願書類を含め、本明細書において引用される全ての文献は、明示的に除外ないしは制限されない限り、その全体が参照により本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【００２３】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の特許請求の範囲で扱うものとする。
【図１】
2011520559.tif 000003
【図２】
2011520559.tif 000004
【図３】
2011520559.tif 000005
【図４】
2011520559.tif 000006
【図５】
2011520559.tif 000007
【国際調査報告】
2011520559.tif 000008
2011520559.tif 000009
2011520559.tif 000010
2011520559.tif 000011
2011520559.tif 000012
2011520559.tif 000013